【手続補正書】
【提出日】平成17年11月10日(2005.11.10)
【手続補正１】
【補正対象書類名】明細書
【補正対象項目名】発明の名称
【補正方法】変更
【補正の内容】
【発明の名称】情報処理装置及び情報処理方法
【手続補正２】
【補正対象書類名】明細書
【補正対象項目名】特許請求の範囲
【補正方法】変更
【補正の内容】
【特許請求の範囲】
【請求項１】
ユーザーの音声を入力する音声入力手段と、
所定の認識ルールに従って前記音声入力手段より入力した前記音声を音声認識処理して音声認識結果を出力する音声認識手段と、
所定の感情パラメータ生成ルールに従って、少なくとも前記音声認識結果と時間経過とにより変化する、擬似的に感情を示す感情パラメータを生成する感情生成手段と、
少なくとも前記感情パラメータを基準にした所定の応答生成ルールに従って、前記音声認識結果に対応する応答を生成する応答生成手段と、
前記応答を出力する応答出力手段とを備え、
所定のネットワークに接続して、前記認識ルール、前記感情パラメータ生成ルール又は前記応答生成ルールの更新処理を実行する通信手段、又は前記認識ルール、前記感情パラメータ生成ルール又は前記応答生成ルールに必要なデータの更新処理を実行する通信手段を有する
ことを特徴とする情報処理装置。
【請求項２】
前記通信手段は、
定期的に前記ネットワークに接続して前記更新処理を実行する
ことを特徴とする請求項１に記載の情報処理装置。
【請求項３】
交換可能な記憶媒体を介して、少なくとも前記感情パラメータ、又は前記感情パラメータの生成に必要なデータとを更新できるようにした
ことを特徴とする請求項１に記載の情報処理装置。
【請求項４】
ユーザーの音声を入力する音声入力手段と、
所定の認識ルールに従って前記音声入力手段より入力した前記音声を音声認識処理して音声認識結果を出力する音声認識手段と、
所定の感情パラメータ生成ルールに従って、少なくとも前記音声認識結果と時間経過とにより変化する、擬似的に感情を示す感情パラメータを生成する感情生成手段と、
少なくとも前記感情パラメータを基準にした所定の応答生成ルールに従って、前記音声認識結果に対応する応答を生成する応答生成手段と、
前記応答を出力する応答出力手段とを備え、
所定のネットワークに接続して、少なくとも前記感情パラメータ又は前記感情パラメータの生成に必要なデータを取得する通信手段を有し、
前記応答生成手段は、
前記通信手段により取得した前記感情パラメータによる応答、又は前記通信手段により取得した前記データより生成した前記感情パラメータによる応答を出力する
ことを特徴とする情報処理装置。
【請求項５】
交換可能な記憶媒体を介して、少なくとも前記感情パラメータ又は前記感情パラメータの生成に必要なデータを交換できるようにした
ことを特徴とする請求項４に記載の情報処理装置。
【請求項６】
ユーザーの音声を入力する音声入力処理と、
所定の認識ルールに従って前記音声入力処理より入力した前記音声を音声認識処理して音声認識結果を出力する音声認識処理と、
所定の感情パラメータ生成ルールに従って、少なくとも前記音声認識結果と時間経過とにより変化する、擬似的に感情を示す感情パラメータを生成する感情生成処理と、
少なくとも前記感情パラメータを基準にした所定の応答生成ルールに従って、前記音声認識結果に対応する応答を生成する応答生成処理と、
前記応答を出力する応答出力処理と、
所定のネットワークに接続して、前記認識ルール、前記感情パラメータ生成ルール又は前記応答生成ルールの更新処理を実行する通信処理、又は前記認識ルール、前記感情パラメータ生成ルール又は前記応答生成ルールに必要なデータの更新処理を実行する通信処理とを有する
ことを特徴とする情報処理方法。
【請求項７】
ユーザーの音声を入力する音声入力処理と、
所定の認識ルールに従って前記音声入力処理より入力した前記音声を音声認識処理して音声認識結果を出力する音声認識処理と、
所定の感情パラメータ生成ルールに従って、少なくとも前記音声認識結果と時間経過とにより変化する、擬似的に感情を示す感情パラメータを生成する感情生成処理と、
少なくとも前記感情パラメータを基準にした所定の応答生成ルールに従って、前記音声認識結果に対応する応答を生成する応答生成処理と、
前記応答を出力する応答出力処理と、
所定のネットワークに接続して、少なくとも前記感情パラメータ又は前記感情パラメータの生成に必要なデータを取得する通信処理とを有し、
前記応答生成処理が、
前記通信処理により取得した前記感情パラメータによる応答、又は前記通信処理により取得した前記データより生成した前記感情パラメータによる応答を出力する処理である
ことを特徴とする情報処理方法。
【請求項８】
ユーザーの音声を入力する音声入力手段と、
前記音声入力手段より入力した音声を音声認識処理して音声認識結果を出力する音声認識手段と、
前記音声に含まれる単語の前記音声認識結果と、対応する単語の分類とを保持する音声認識結果のデータベースと、
前記音声認識結果を基準にして前記データベースを検索し、前記音声認識結果の音声に含まれる単語の分類に従って、前記音声認識結果に対応する応答を生成する応答生成手段と、
前記応答を出力する応答出力手段と、
登録の動作モードにおいて、前記音声認識結果に基づいて、少なくとも前記データベースに前記単語の音声認識結果を登録することにより、音声により前記データベースを変更可能な登録手段と
を備えることを特徴とする情報処理装置。
【請求項９】
前記音声入力手段は、
音韻列により前記音声を識別して前記音声認識結果を出力し、
前記データベースは、
前記音声の音韻列による音声認識結果に従って前記単語の音声認識結果と前記分類とを記録する
ことを特徴とする請求項８に記載の情報処理装置。
【請求項１０】
前記音声認識手段は、
前記音声を変換したテキストデータにより前記音声認識結果を出力する
ことを特徴とする請求項８に記載の情報処理装置。
【請求項１１】
前記音声認識手段は、
前記登録の動作モードにおいて、所定の区切りに従って前記音声を区切って音声認識処理する
ことを特徴とする請求項８に記載の情報処理装置。
【請求項１２】
所定の擬似感情パラメータ生成ルールに従って、少なくとも前記音声認識結果と時間経過とにより変化する、擬似的に感情を示す擬似感情パラメータを生成する感情生成手段を有し、
前記応答生成手段は、
少なくとも前記擬似感情パラメータを基準にした所定の応答生成ルールに従って、前記音声認識結果に対応する応答を生成する
ことを特徴とする請求項８に記載の情報処理装置。
【請求項１３】
交換可能な記憶媒体を介して、少なくとも前記擬似感情パラメータ又は前記擬似感情パラメータの生成に必要なデータを交換できるようにした
ことを特徴とする請求項８に記載の情報処理装置。
【請求項１４】
ユーザーの音声を入力する音声入力処理と、
前記音声入力処理より入力した音声を音声認識処理して音声認識結果を出力する音声認識処理と、
前記音声認識結果を基準にして、前記音声に含まれる単語の前記音声認識結果と、対応する単語の分類とを保持する音声認識結果のデータベースを検索し、前記音声認識結果の音声に含まれる単語の分類に従って、前記音声認識結果に対応する応答を生成する応答生成処理と、
前記応答を出力する応答出力処理と、
登録の動作モードにおいて、前記音声認識結果に基づいて、少なくとも前記データベースに前記単語の音声認識結果を登録することにより、音声により前記データベースを変更可能な登録処理とを有する
ことを特徴とする情報処理方法。
【請求項１５】
ユーザーの音声を入力する音声入力手段と、
前記音声入力手段をより入力した音声を音声認識処理して音声認識結果を出力する音声認識手段と、
所定の応答生成ルールに従って、前記音声認識結果に対応する応答を生成する応答生成手段と、
前記応答を出力する応答出力手段と、
前記音声に基づいて、前記ユーザーを認証するユーザー認証手段とを備え、
前記応答生成手段は、
前記ユーザー認証手段の認証結果に基づいて、音声入力者に応じて前記応答を異ならせる
ことを特徴とする情報処理装置。
【請求項１６】
前記ユーザー認証手段は、
過去の音声認識結果を基準にして前記音声認識結果を判定することにより、前記音声に基づいて前記ユーザーを認証する
ことを特徴とする請求項１５に記載の情報処理装置。
【請求項１７】
前記応答生成手段は、
過去の音声認識結果に対応する質問を前記応答として出力し、
前記ユーザー認証手段は、
該質問の応答に対する音声認識結果を判定してユーザーを認証する
ことを特徴とする請求項１６に記載の情報処理装置。
【請求項１８】
前記過去の音声認識結果が所定の単語である
ことを特徴とする請求項１６に記載の情報処理装置。
【請求項１９】
前記ユーザー認証手段は、
前記音声認識結果より前記音声の特徴を示す特徴量を検出し、前記特徴量に基づいて前記ユーザーを認証することにより、前記音声に基づいて前記ユーザーを認証する
ことを特徴とする請求項１５に記載の情報処理装置。
【請求項２０】
所定の擬似感情パラメータ生成ルールに従って、少なくとも前記音声認識結果と時間経過とにより変化する、擬似的に感情を示す擬似感情パラメータを生成する感情生成手段を有し、
前記応答生成手段は、
少なくとも前記擬似感情パラメータを基準にして前記応答生成ルールに従って、前記音声認識結果に対応する応答を生成する
ことを特徴とする請求項１５に記載の情報処理装置。
【請求項２１】
ユーザーの音声を入力する音声入力処理と、
前記音声入力処理より入力した音声を音声認識処理して音声認識結果を出力する音声認識処理と、
所定の応答生成ルールに従って、前記音声認識結果に対応する応答を生成する応答生成処理と、
前記応答を出力する応答出力処理と、
前記音声に基づいて、前記ユーザーを認証するユーザー認証処理とを有し、
前記応答生成処理は、
前記ユーザー認証処理の認証結果に基づいて、音声入力者に応じて前記応答を異ならせる
ことを特徴とする情報処理方法。
【請求項２２】
ユーザーの音声を入力する音声入力手段と、
前記音声入力手段より入力した音声を音声認識処理して音声認識結果を出力する音声認識手段と、
所定の応答生成ルールに従って、前記音声認識結果に対応する応答を生成する応答生成手段と、
前記応答を出力する応答出力手段と、
前記音声に基づいて、前記音声による入力の種類を識別する発話分類手段とを備え、
前記応答生成ルールが、
前記入力の種類に応じて、前記入力の種類に対応する応答の分類に従って、所定の種類の応答を除く応答を生成するルールである
ことを特徴とする情報処理装置。
【請求項２３】
少なくとも前記音声による入力の種類と、前記応答生成手段により生成された前記応答の分類とによる履歴を記録する履歴記録手段を有し、
前記応答出力手段は、
前記履歴記録手段に記録された履歴を参照して前記応答を生成する
ことを特徴とする請求項２２に記載の情報処理装置。
【請求項２４】
所定の擬似感情パラメータ生成ルールに従って、少なくとも前記音声認識結果と時間経過とにより変化する、擬似的に感情を示す擬似感情パラメータを生成する感情生成手段を有し、
前記応答生成手段は、
少なくとも前記擬似感情パラメータを基準にして前記応答生成ルールに従って、前記音声認識結果に対応する応答を生成する
ことを特徴とする請求項２２に記載の情報処理装置。
【請求項２５】
ユーザーの音声を入力する音声入力処理と、
前記音声入力処理より入力した音声を音声認識処理して音声認識結果を出力する音声認識処理と、
所定の応答生成ルールに従って、前記音声認識結果に対応する応答を生成する応答生成処理と、
前記応答を出力する応答出力処理と、
前記音声に基づいて、前記音声による入力の種類を識別する発話分類処理を有し、
前記応答生成ルールは、
前記入力の種類に応じて、前記入力の種類に対応する応答の分類に従って、所定の種類の応答を除く応答を生成する
ことを特徴とする情報処理方法。
【請求項２６】
ユーザーの音声を入力する音声入力手段と、
所定の認識ルールに従って前記音声入力手段より入力した前記音声を音声認識処理して音声認識結果を出力する音声認識手段と、
所定の感情パラメータ生成ルールに従って、少なくとも前記音声認識結果と時間経過とにより変化する、擬似的に感情を示す感情パラメータを生成する感情生成手段と、
少なくとも前記感情パラメータを基準にした所定の応答生成ルールに従って、前記音声認識結果に対応する応答を生成する応答生成手段と、
前記応答を出力する応答出力手段とを備え、
前記感情生成手段は、
少なくとも前記音声認識結果と対応する感情パラメータとによる履歴を記録する履歴記録手段を有し、
前記音声認識結果に対する前記感情パラメータの変化を前記履歴に応じて変化させる
ことを特徴とする情報処理装置。
【請求項２７】
前記感情生成手段は、
前記音声に含まれる感情を刺激する単語に応じて前記感情パラメータを変化させ、
前記感情を刺激する単語以外の単語が、前記感情を刺激する単語を同時に頻繁に使用される場合、該単語によっても、同時に使用される頻度の高い前記感情を刺激する単語による場合と同様に、前記感情パラメータを変化させる
ことを特徴とする請求項２６に記載の情報処理装置。
【請求項２８】
前記感情生成手段は、
前記音声に含まれる感情を刺激する単語に応じて前記感情パラメータを変化させ、
前記感情を刺激する単語のうちの所定の単語が頻繁に使用される場合、該感情を刺激する単語により前記感情パラメータの変化量を低減する
ことを特徴とする請求項２６に記載の情報処理装置。
【請求項２９】
ユーザーの音声を入力する音声入力処理と、
所定の認識ルールに従って前記音声入力処理より入力した前記音声を音声認識処理して音声認識結果を出力する音声認識処理と、
所定の感情パラメータ生成ルールに従って、少なくとも前記音声認識結果と時間経過とにより変化する、擬似的に感情を示す感情パラメータを生成する感情生成処理と、
少なくとも前記感情パラメータを基準にした所定の応答生成ルールに従って、前記音声認識結果に対応する応答を生成する応答生成処理と、
前記応答を出力する応答出力処理とを有し、
前記感情生成処理が、
少なくとも前記音声認識結果と対応する感情パラメータとによる履歴を記録する履歴記録処理を有し、
前記音声認識結果に対する前記感情パラメータの変化を前記履歴に応じて変化させる処理である
ことを特徴とする情報処理方法。
【手続補正３】
【補正対象書類名】明細書
【補正対象項目名】０００１
【補正方法】変更
【補正の内容】
【０００１】
【発明の属する技術分野】
本発明は、情報処理装置及び情報処理方法に関し、例えば携帯電話、パーソナルコンピュータ等の各種情報機器に適用することができる。本発明は、応答の生成に必要な各種データをネットワークを介して交換することにより、また音声にて単語等を登録できるようにすること等により、一段と身近な親しみ易い電子ペット装置、電子ペットを有する情報処理装置、携帯機器、情報処理手順を記録した記録媒体及び情報処理方法を提案する。
【手続補正４】
【補正対象書類名】明細書
【補正対象項目名】０００５
【補正方法】変更
【補正の内容】
【０００５】
本発明は以上の点を考慮してなされたもので、さらに一段と身近な親しみ易いものとすることができる情報処理装置及び情報処理方法を提案しようとするものである。
【手続補正５】
【補正対象書類名】明細書
【補正対象項目名】０００６
【補正方法】変更
【補正の内容】
【０００６】
【課題を解決するための手段】
かかる課題を解決するため請求項１の発明は、情報処理装置に適用して、所定の認識ルールに従って音声認識結果を出力する音声認識手段と、所定の感情パラメータ生成ルールに従って、少なくとも音声認識結果と時間経過とにより変化する、擬似的に感情を示す感情パラメータを生成する感情生成手段と、少なくとも感情パラメータを基準にした所定の応答生成ルールに従って、音声認識結果に対応する応答を生成する応答生成手段とに関し、所定のネットワークに接続して、認識ルール、感情パラメータ生成ルール又は応答生成ルールの更新処理を実行する通信手段、又は認識ルール、感情パラメータ生成ルール又は応答生成ルールに必要なデータの更新処理を実行する通信手段を有するようにする。
【手続補正６】
【補正対象書類名】明細書
【補正対象項目名】０００７
【補正方法】変更
【補正の内容】
【０００７】
また請求項４の発明は、情報処理装置に適用して、所定のネットワークに接続して、少なくとも感情パラメータ又は感情パラメータの生成に必要なデータを取得する通信手段を有するようにし、応答生成手段が、この通信手段により取得した感情パラメータによる応答、又は通信手段により取得したデータより生成した感情パラメータによる応答を出力するようにする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
また請求項６の発明は、情報処理方法に適用して、所定のネットワークに接続して、認識ルール、感情パラメータ生成ルール又は応答生成ルールの更新処理を実行する通信処理、又は認識ルール、感情パラメータ生成ルール又は応答生成ルールに必要なデータの更新処理を実行する通信処理を有するようにする。
【手続補正１０】
【補正対象書類名】明細書
【補正対象項目名】００１１
【補正方法】変更
【補正の内容】
【００１１】
また請求項７の発明は、情報処理方法に適用して、所定のネットワークに接続して、少なくとも感情パラメータ又は感情パラメータの生成に必要なデータを取得する通信処理を有するようにし、応答生成処理が、通信処理により取得した感情パラメータによる応答、又は通信処理により取得したデータより生成した感情パラメータによる応答を出力する処理であるようにする。
【手続補正１１】
【補正対象書類名】明細書
【補正対象項目名】００１２
【補正方法】変更
【補正の内容】
【００１２】
また請求項８の発明は、情報処理装置に適用して、登録の動作モードにおいて、音声認識結果に基づいて、少なくともデータベースに単語の音声認識結果を登録することにより、音声によりデータベースを変更可能な登録手段を備えるようにする。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
また請求項１４の発明は、情報処理方法に適用して、登録の動作モードにおいて、音声認識結果に基づいて、少なくともデータベースに単語の音声認識結果を登録することにより、音声によりデータベースを変更可能な登録処理を有するようにする。
【手続補正１４】
【補正対象書類名】明細書
【補正対象項目名】００１５
【補正方法】変更
【補正の内容】
【００１５】
また請求項１５の発明は、情報処理装置に適用して、音声に基づいて、ユーザーを認証するユーザー認証手段を備えるようにし、応答生成手段は、ユーザー認証手段の認証結果に基づいて、音声入力者に応じて応答を異ならせるようにする。
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】変更
【補正の内容】
【００１７】
また請求項２１の発明は、情報処理方法に適用して、音声に基づいて、ユーザーを認証するユーザー認証処理を有するようにし、応答生成処理が、ユーザー認証処理の認証結果に基づいて、音声入力者に応じて応答を異ならせるようにする。
【手続補正１７】
【補正対象書類名】明細書
【補正対象項目名】００１８
【補正方法】変更
【補正の内容】
【００１８】
また請求項２２の発明は、情報処理装置に適用して、所定の応答生成ルールに従って、音声認識結果に対応する応答を生成するにつき、音声に基づいて、音声による入力の種類を識別する発話分類手段を備えるようにし、応答生成ルールが、入力の種類に応じて、入力の種類に対応する応答の分類に従って、所定の種類の応答を除く応答を生成するルールであるようにする。
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】変更
【補正の内容】
【００２０】
また請求項２５の発明は、情報処理方法に適用して、所定の応答生成ルールに従って、音声認識結果に対応する応答を生成する情報処理手順につき、音声に基づいて、音声による入力の種類を識別するようにし、応答生成ルールが、入力の種類に応じて、入力の種類に対応する応答の分類に従って、所定の種類の応答を除く応答を生成するルールであるようにする。
【手続補正２０】
【補正対象書類名】明細書
【補正対象項目名】００２１
【補正方法】変更
【補正の内容】
【００２１】
また請求項２６の発明は、情報処理装置に適用して、少なくとも音声認識結果と対応する感情パラメータとによる履歴を記録する履歴記録手段を有するようにし、音声認識結果に対する感情パラメータの変化を履歴に応じて変化させるようにする。
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】変更
【補正の内容】
【００２３】
また請求項２９の発明は、情報処理方法に適用して、少なくとも音声認識結果と対応する感情パラメータとによる履歴を記録する履歴記録処理を有するようにし、音声認識結果に対する感情パラメータの変化を履歴に応じて変化させるようにする。
【手続補正２３】
【補正対象書類名】明細書
【補正対象項目名】００２４
【補正方法】変更
【補正の内容】
【００２４】
請求項１の構成により、情報処理装置に適用して、所定の認識ルールに従って音声認識結果を出力する音声認識手段と、所定の感情パラメータ生成ルールに従って、少なくとも音声認識結果と時間経過とにより変化する、擬似的に感情を示す感情パラメータを生成する感情生成手段と、少なくとも感情パラメータを基準にした所定の応答生成ルールに従って、音声認識結果に対応する応答を生成する応答生成手段とに関し、所定のネットワークに接続して、認識ルール、感情パラメータ生成ルール又は応答生成ルールの更新処理を実行する通信手段、又は認識ルール、感情パラメータ生成ルール又は応答生成ルールに必要なデータの更新処理を実行する通信手段を有するようにすれば、この通信手段により応答の生成に必要な各種データを送出することができる。従ってこのネットワークに接続された同種の機器において、この情報処理装置等における音声入力に対する応答とほぼ同一の応答を生成でき、これによりあたかも電子ペットを外部の機器に連れ出したかのように取り扱いをすることができ、動物のペットを実際に飼育している場合のように電子ペットを親しみ易いものとすることができる。
【手続補正２４】
【補正対象書類名】明細書
【補正対象項目名】００２５
【補正方法】変更
【補正の内容】
【００２５】
また請求項４の構成により、情報処理装置に適用して、所定のネットワークに接続して、少なくとも感情パラメータ又は感情パラメータの生成に必要なデータを取得する通信手段を有するようにし、応答生成手段が、この通信手段により取得した感情パラメータによる応答、又は通信手段により取得したデータより生成した感情パラメータによる応答を出力すれば、ネットワークに接続された同種の機器における応答とほぼ同一の応答を生成でき、これによりあたかもこのネットワークに接続された同種の機器より電子ペットを連れ出したかのように取り扱うことができ、動物のペットを実際に飼育している場合のように電子ペットを親しみ易いものとすることができる。また必要に応じて判別可能な単語を増大させる等により知識を増大させることもできる。
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】変更
【補正の内容】
【００２８】
また請求項６の構成により、情報処理方法に適用して、所定のネットワークに接続して、認識ルール、感情パラメータ生成ルール又は応答生成ルールの更新処理を実行する通信処理、又は認識ルール、感情パラメータ生成ルール又は応答生成ルールに必要なデータの更新処理を実行する通信処理を有するようにすれば、ネットワークに接続された同種の機器において、この情報処理方法を実行する装置の音声入力に対する応答とほぼ同一の応答を生成でき、これにより動物のペットを実際に飼育している場合のように、あたかも電子ペットを外部の機器に連れ出したかのように取り扱うことができ、電子ペットを親しみ易いものとすることができる。
【手続補正２８】
【補正対象書類名】明細書
【補正対象項目名】００２９
【補正方法】変更
【補正の内容】
【００２９】
また請求項７の構成により、情報処理方法に適用して、所定のネットワークに接続して、少なくとも感情パラメータ又は感情パラメータの生成に必要なデータを取得する通信処理を有するようにし、応答生成処理が、通信処理により取得した感情パラメータによる応答、又は通信処理により取得したデータより生成した感情パラメータによる応答を出力する処理であるようにすれば、この情報処理方法を実行する装置において、ネットワークに接続された同種の機器の応答とほぼ同一の応答を生成でき、これにより動物のペットを実際に飼育している場合のように、あたかもこのネットワークに接続された同種の機器より電子ペットを連れ出したかのように取り扱うことができる。また必要に応じて判別可能な単語の増大等により知識を増大させることもできる。
【手続補正２９】
【補正対象書類名】明細書
【補正対象項目名】００３０
【補正方法】変更
【補正の内容】
【００３０】
また請求項８の構成により、情報処理装置に適用して、登録の動作モードにおいて、音声認識結果に基づいて、少なくともデータベースに単語の音声認識結果を登録することにより、音声によりデータベースを変更可能な登録手段を備えるようにすれば、音声により電子ペットが認識可能な語彙を簡易に増やすことができる。これにより実際に飼育している動物のペットに躾けを教えるように電子ペットを取り扱うことができ、電子ペットを親しみ易いものとすることができる。
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】変更
【補正の内容】
【００３２】
また請求項１５の構成により、情報処理方法に適用して、登録の動作モードにおいて、音声認識結果に基づいて、少なくともデータベースに単語の音声認識結果を登録することにより、少なくとも音声によりデータベースを変更可能な登録処理を有するようにすれば、この情報処理方法の実行により、電子ペットが認識可能な語彙を音声により簡易に増やすことができる。これにより実際に飼育している動物のペットに躾けを教えるように電子ペットを取り扱うことができ、電子ペットを親しみ易いものとすることができる。
【手続補正３２】
【補正対象書類名】明細書
【補正対象項目名】００３３
【補正方法】変更
【補正の内容】
【００３３】
また請求項１４の構成により、情報処理装置に適用して、音声に基づいて、ユーザーを認証するユーザー認証手段を備えるようにし、応答生成手段が、ユーザー認証手段の認証結果に基づいて、音声入力者に応じて応答を異ならせるようにすれば、電子ペットの応答を例えば飼い主とそれ以外の者とで異ならせるようにすることができる。これにより動物のペットのような挙動を実現でき、電子ペットを一段と身近な親しみ易いものとすることができる。
【手続補正３３】
【補正対象書類名】明細書
【補正対象項目名】００３４
【補正方法】削除
【補正の内容】
【手続補正３４】
【補正対象書類名】明細書
【補正対象項目名】００３５
【補正方法】変更
【補正の内容】
【００３５】
また請求項２１の構成により、情報処理方法に適用して、音声に基づいて、ユーザーを認証するユーザー認証処理を有するようにし、応答生成処理が、ユーザー認証処理の認証結果に基づいて、音声入力者に応じて応答を異ならせるようにすれば、電子ペットの応答を例えば飼い主とそれ以外の者とで異ならせるようにすることができ、これにより動物のペットのような挙動を実現して、電子ペットを一段と身近な親しみ易いものとすることができる。
【手続補正３５】
【補正対象書類名】明細書
【補正対象項目名】００３６
【補正方法】変更
【補正の内容】
【００３６】
また請求項２２の構成により、情報処理装置に適用して、所定の応答生成ルールに従って、音声認識結果に対応する応答を生成するにつき、音声に基づいて、音声による入力の種類を識別する発話分類手段を備えるようにし、応答生成ルールが、入力の種類に応じて、入力の種類に対応する応答の分類に従って、所定の種類の応答を除く応答を生成するルールであるようにすれば、例えば問いに対して問いを返すような不自然な応答を防止することができる。これにより電子ペットの応答を自然な生き生きとしたものとでき、これによっても電子ペットを一段と身近な親しみ易いものとすることができる。
【手続補正３６】
【補正対象書類名】明細書
【補正対象項目名】００３７
【補正方法】削除
【補正の内容】
【手続補正３７】
【補正対象書類名】明細書
【補正対象項目名】００３８
【補正方法】変更
【補正の内容】
【００３８】
また請求項２５の構成により、情報処理方法に適用して、所定の応答生成ルールに従って、音声認識結果に対応する応答を生成する情報処理するについて、音声に基づいて、音声による入力の種類を識別するようにし、応答生成ルールが、入力の種類に応じて、入力の種類に対応する応答の分類に従って、所定の種類の応答を除く応答を生成するルールであるようにすれば、例えば問いに対して問いを返すような不自然な応答を防止することができる。これにより電子ペットの応答を自然な生き生きとしたものとでき、これによっても電子ペットを一段と身近な親しみ易いものとすることができる。
【手続補正３８】
【補正対象書類名】明細書
【補正対象項目名】００３９
【補正方法】変更
【補正の内容】
【００３９】
また請求項２６の構成により、情報処理装置に適用して、少なくとも音声認識結果と対応する感情パラメータとによる履歴を記録する履歴記録手段を有するようにし、音声認識結果に対する感情パラメータの変化を履歴に応じて変化させるようにすれば、例えば頻繁に発生される音声に対して慣れ、親しみ等の感情のこもった応答を形成できる。これにより電子ペットの応答を自然な生き生きとしたものとでき、これによっても電子ペットを一段と身近な親しみ易いものとすることができる。
【手続補正３９】
【補正対象書類名】明細書
【補正対象項目名】００４０
【補正方法】削除
【補正の内容】
【手続補正４０】
【補正対象書類名】明細書
【補正対象項目名】００４１
【補正方法】変更
【補正の内容】
【００４１】
また請求項２９の構成により、情報処理方法に適用して、少なくとも音声認識結果と対応する感情パラメータとによる履歴を記録する履歴記録処理を有するようにし、音声認識結果に対する感情パラメータの変化を履歴に応じて変化させるようにしても、例えば頻繁に発生される音声に対して慣れ、親しみ等の感情のこもった応答を形成できる。これにより電子ペットの応答を自然な生き生きとしたものとでき、これによっても電子ペットを一段と身近な親しみ易いものとすることができる。